(57)【要約】【課題】蒸気排出装置では、炊飯器と電気ポットを収納部の電源コンセントに差し込み使用するが、電気ポットが接続されていないにも係わらず、１４．５アンペアを若干超える状態になれば電流遮断器が動作し異常報知を行ない、家庭の人は異常状態であると認識し、蒸気排出装置の電源を切り、炊飯器は炊き上げ不良となる。しかし１４．５アンペアを若干超える状態が、コンセントも子ブレーカも安全を維持できる範囲であれば、その状態を継続しても差し支えない。本発明は、電気ポットが接続されていないときは異常報知を発することなく、炊飯器と電気ポットが接続されたときに異常報知を発するようにし、上記問題を解決する。【解決手段】制御部はブレーカの遮断定格電流値よりも若干低い第１設定値と遮断定格電流より若干高い第２設定値を有し、制御部によって、電流遮断器（リレー）は総合電流が第１設定値以上に上昇したとき遮断動作し、総合電流が第２設定値以上に上昇したとき異常報知状態となる。【選択図】図３
2010025505.tif 000002
【特許請求の範囲】
【請求項１】
電気式炊飯器と他の電気器具が収納部に収納設置され、前記収納部に設けたそれぞれの
コンセントに前記電気炊飯器と他の電気器具が接続され、蒸気排出ファンによって前記収
納部から発生する蒸気を前記収納部に開口した蒸気吸い込み口から吸い込んで蒸気排出口
から前記収納部外へ排出するように構成され、所定の遮断定格電流を有する電力ブレーカ
に接続された蒸気排出装置において、前記それぞれのコンセントを流れる電流の総合電流
に基づき動作する制御部と、前記他の電気器具が接続されたコンセントへの通電を遮断す
る電流遮断器（リレー）を備え、前記制御部は前記遮断定格電流値よりも若干低い第１設
定値と前記遮断定格電流より若干高い第２設定値を有し、前記制御部の動作にて、前記電
流遮断器（リレー）は前記総合電流が前記第１設定値以上に上昇したとき遮断動作し、前
記総合電流が前記第２設定値以上に上昇したとき異常報知状態となることを特徴とする蒸
気排出装置。
【請求項２】
電気式炊飯器と他の電気器具が収納部に収納設置され、前記収納部に設けたそれぞれの
コンセントに前記電気炊飯器と他の電気器具が接続され、蒸気排出ファンによって前記収
納部から発生する蒸気を前記収納部に開口した蒸気吸い込み口から吸い込んで蒸気排出口
から前記収納部外へ排出するように構成され、所定の遮断定格電流を有する電力ブレーカ
に接続された蒸気排出装置において、前記それぞれのコンセントを流れる電流の総合電流
に基づき動作する制御部と、この制御部の動作によって前記他の電気器具が接続されたコ
ンセントへの通電を遮断する電流遮断器（リレー）を備え、前記制御部は前記電力ブレー
カの遮断定格電流よりも若干低い第１設定値と前記電力ブレーカの遮断定格電流よりも若
干高い第２設定値を備え、前記総合電流が前記第１設定値未満の状態では前記電流遮断器
（リレー）は遮断動作せず、前記第１設定値以上前記第２設定値未満の状態（これを第１
状態と称す）を前記電流検知器が検知し前記第１状態が第１所定時間継続したとき前記電
流遮断器（リレー）は遮断動作し、更に前記第１状態が継続中に前記第２設定値以上の状
態（これを第２状態と称す）を前記電流検知器が検知し前記第２状態が所定時間継続した
とき前記制御部は異常報知信号を発することを特徴とする蒸気排出装置。
【請求項３】
電気式炊飯器と他の電気器具が収納部に収納設置され、前記収納部に設けたそれぞれの
コンセントに前記電気炊飯器と他の電気器具が接続され、蒸気排出ファンによって前記収
納部から発生する蒸気を前記収納部に開口した蒸気吸い込み口から吸い込んで蒸気排出口
から前記収納部外へ排出するように構成され、所定の遮断定格電流を有する電力ブレーカ
に接続された蒸気排出装置において、前記それぞれのコンセントを流れる電流の総合電流
を検出する電流検知器と、この電流検知器の検知に基づき動作する制御部と、この制御部
の動作によって前記他の電気器具が接続されたコンセントへの通電を遮断する電流遮断器
（リレー）と、前記制御部の動作によって異常報知をする異常報知部を備え、前記制御部
は前記電力ブレーカの遮断定格電流よりも若干低い第１設定値と前記電力ブレーカの遮断
定格電流よりも若干高い第２設定値を備え、前記総合電流が上昇して前記第２設定値未満
であるが前記第１設定値以上の状態（これを第１状態と称す）を前記電流検知器が検知し
、前記第１状態が第１所定時間継続したとき前記制御部は前記電流遮断器（リレー）を遮
断動作させ、更に前記第１状態が継続中に前記総合電流が上昇して前記第２設定値以上の
状態（これを第２状態と称す）を前記電流検知器が検知し、前記第２状態が所定時間継続
したとき前記制御部は前記異常報知部に異常報知信号を発することを特徴とする蒸気排出
装置。
【請求項４】
前記電力ブレーカの遮断定格電流を１５アンペア、前記第１設定値を１４アンペアから
１５アンペアの間の値、前記第２設定値を１５アンペアから１６アンペアの間の値とし、
前記第１所定時間及び前記第２所定時間を１秒乃至から１０秒乃としたことを特徴とする
請求項１乃至請求項３に記載の蒸気排出装置。
【発明の詳細な説明】
【技術分野】
【０００１】
本発明は、収納部へ炊飯器、湯沸かし器（電気ポット）等の蒸気発生を伴う器具を収納
して使用するように構成した蒸気排出装置に関する。
【背景技術】
【０００２】
収納部へ蒸気発生を伴う調理器具を収納して使用するように構成した収納庫において、
収納部内の左側に炊飯器、右側に電気保温ポットが設置されて通電使用されるものがあり
、収納部内の天井面の左側と右側には、それぞれ上方へ窪んだ凹状空間があり、この左側
の凹状空間には正方形環状の蒸気吸込口が形成され、右側の凹状空間には長方形環状の蒸
気吸込口が形成され、これら蒸気吸込口の上方にはそれぞれ吸込み口８ａ、８ｂを形成し
た三角形状のダクトが配置され、このダクトの前端部に単一の遠心式送風機が配置され、
送風機の運転によって各蒸気吸込口から吸い込んだ蒸気が、各吸込み口８ａ、８ｂからダ
クトへ吸い込まれ、前面の蒸気排気口から排出されるものがある。（特許文献１参照）。
【特許文献１】特開２００７−１９５７６４号公報
【発明の開示】
【発明が解決しようとする課題】
【０００３】
この種の蒸気排出装置では、炊飯器、湯沸かし器（電気ポット）等のように、使用電力
が異なる二種類の蒸気発生器具を収納部の左右に収納し、収納部に設けたそれぞれの電源
コンセントに差し込んで使用されるが、一般家屋に設けられた電力ブレーカは、家屋内の
総合電流によって遮断動作をするブレーカ（親ブレーカと称することとする）と、この親
ブレーカから分岐した回路ごとの電流によって遮断動作をする複数のブレーカ（子ブレー
カと称することとする）が設けられ、この一つの子ブレーカの回路に蒸気排出装置を接続
して使用される。この蒸気排出装置において、炊飯器と湯沸かし器（電気ポット）の両方
が接続されて、子ブレーカの遮断定格電流以上になった場合、蒸気排出装置の電源を遮断
すれば、炊飯器は炊き上げ途中で電力が遮断され、炊き上げ不良となる。
【０００４】
このような点に鑑み、出願人は、収納部に設けた各コンセントに炊飯器と湯沸かし器（
電気ポット）を接続して通電した場合、炊飯器での炊き上げ途中に子ブレーカの遮断定格
電流値以上になったときは、それを速やかに検出して、湯沸かし器（電気ポット）の電源
を遮断して、炊飯器の通電は継続することにより、炊き上げ不良が生じないように制御部
で制御する制御方式を発明している。
【０００５】
一般家庭用の場合、通常、親ブレーカの遮断定格電流は２０アンペアであり、子ブレー
カの遮断定格電流は１５アンペアである。また、一般家庭用に使用されるコンセントは、
定格電流が１５アンペアである。なお、電力ブレーカは、親ブレーカも子ブレーカも、遮
断定格電流になっても直ちに遮断動作することはなく、動作許容範囲を持っている。
【０００６】
図７に示すものは、一般家庭で使用される親ブレーカとして用いられる遮断定格電流が
２０アンペアのものの遮断動作特性図を示している。この電流２０アンペアを若干超えた
状態では、連続通電されても遮断しない状態が続き、また電流２０アンペアに対する１２
５％のとき（２５アンペアのとき）は、略４０秒連続通電されるまで遮断しない状態が続
き、また電流２０アンペアに対する１５０％のとき（３０アンペアのとき）は、略２０秒
連続通電されるまで遮断しない状態が続くことがわかる。このように、電力ブレーカは遮
断定格電流を超えても直ちに遮断しない許容値を持つ特性を有しており、子ブレーカにお
いても同様である。また、一般家庭用に使用されるコンセントは、１５アンペアの定格電
流を若干超えた電流が流れても、耐えられるようになっている。これは、安全性の考慮と
、製造上の誤差を考慮したものである。
【０００７】
ここで、上記の制御方式を図４、図５、図６に基づき説明する。蒸気排出装置の収納部
の二つのコンセントに、それぞれ炊飯器と湯沸かし器（電気ポット）が接続された場合、
湯沸かし器（電気ポット）の接続されたコンセントへの通電を遮断するか否かの判定値を
、１５アンペアに近い１４．５アンペアとしている。この場合、図４に示すように、炊飯
器のみがコンセントへ接続されている場合は、炊飯動作を開始しても１４．５アンペア未
満である。しかし、炊飯器と、湯沸かし器（電気ポット）の両方が接続され、炊飯動作と
湯沸し動作が同時に行なわれたときは、１４．５アンペア以上となるため、湯沸かし器（
電気ポット）の接続されたコンセントへの通電を遮断する必要がある。この場合、１４．
５アンペア以上になったとき直ちに遮断動作するのでなく、１４．５アンペア以上の状態
が所定時間Ｔ１継続したとき、制御部によって、湯沸かし器（電気ポット）の接続された
コンセントへの通電を開くように、電流遮断器を動作させるようにしている。これは、何
らかの原因により、瞬間的に１４．５アンペア以上の状態になったときに、遮断動作する
こととなるため、これを避けるために、上記所定時間Ｔ１を持たせている。この時間は、
コンセントも子ブレーカも安全を維持できる範囲であり、上記所定時間Ｔ１は６〜７秒に
設定している。
【０００８】
このように、制御部によって電流遮断器が、湯沸かし器（電気ポット）の接続されたコ
ンセントへの通電回路を開くが、制御部は電流遮断器を作動させる信号状態であるが、電
流遮断器の接点溶着等の原因によって電流遮断器の接点が開かないときは、湯沸かし器（
電気ポット）へは通電のままとなる。この場合は、図５に示すように、所定時間Ｔ１に引
き続いて、更に所定時間Ｔ２継続したとき、制御部によって、異常状態であることを報知
する異常報知信号を発し、異常報知を表示部に表示、ＬＥＤ等の異常報知ランプ点灯、ま
たはブザー作動等により行なう。家庭の人はこの異常報知を見て、または聞いて、炊飯器
・湯沸かし器（電気ポット）のコンセントを抜く、または手動でブレーカを遮断すること
により、蒸気排出装置を安全に保つことができる。もしこの異常報知を放置したときは、
ある時点で、子ブレーカが自動的に遮断動作することとなる。
【０００９】
しかし、最近は、美味しいご飯を炊くために、出力の大きな炊飯器があり、最大電流も
１４．５アンペアに近い大きな電流が流れるものがあり、この炊飯器が蒸気排出装置の収
納部の二つのコンセントの一方に接続され、他方のコンセントは湯沸かし器（電気ポット
）が接続されていない空の場合でも、家庭に供給される電力状態によって、または、炊飯
器の製造上の誤差によって、１４．５アンペアを若干超える状態になることがある。
【００１０】
この場合、上記のように、制御部は電流遮断器を作動させる信号状態となり、炊飯器を
接続していない側のコンセントへの通電回路を開くように、電流遮断器を動作させるが、
炊飯器しか動作していないため、総電流値は下がらない。この場合、本来異常はないにも
係わらず、図６に示すように、所定時間Ｔ１に引き続いて、更に所定時間Ｔ２継続したと
き、制御部によって、異常状態であることを報知する異常報知信号（警報信号ともいう）
を発し、報知部でそれを報知してしまう。この報知部での報知としては、異常報知を表示
部に表示、ＬＥＤ等の異常報知ランプの点灯、またはブザー作動等にて行なう。
【００１１】
また、このように、湯沸かし器（電気ポット）が接続されていないにも係わらず、１４
．５アンペアを若干超える状態になれば、制御部によって電流遮断器が動作し、異常報知
を行なうため、家庭の人は異常報知によって異常状態であると認識し、炊飯器・湯沸かし
器（電気ポット）のコンセントを抜く、または手動でブレーカを遮断する。しかし、１４
．５アンペアを若干超える状態が、コンセントも子ブレーカも安全を維持できる範囲であ
れば、その状態を継続しても差し支えないにも係わらず、炊飯器・湯沸かし器（電気ポッ
ト）のコンセントを抜く、または手動でブレーカを遮断することにより、炊飯器は炊き上
げ途中で中断し、炊き上げ不良となってしまう。
【００１２】
本発明は、上記のように動作許容範囲を持つ電力ブレーカの遮断特性を有効に活用する
と共に、上記のように、湯沸かし器（電気ポット）が接続されていないにも拘らず、１４
．５アンペアを若干超える状態になっても、コンセントも子ブレーカも安全を維持できる
範囲であれば、その状態を継続する。そして、湯沸かし器（電気ポット）が接続されたと
きは、それによって上昇した電流を検出し、この状態が所定時間Ｔ３継続したとき、制御
部によって、異常状態であることを報知する異常報知信号を発し、異常報知を表示部に表
示、ＬＥＤ等の異常報知ランプの点灯、またはブザー作動等にて行なう。
【００１３】
本発明は、このように、湯沸かし器（電気ポット）が接続されていないときは、異常報
知を発することなく、炊飯器と湯沸かし器（電気ポット）が接続されたときに異常報知を
発するようにし、異常の誤報知を防止し、また、炊飯器が炊き上げ途中で中断されるよう
なことがないようにするものである。
【課題を解決するための手段】
【００１４】
第１発明の蒸気排出装置は、電気式炊飯器と他の電気器具が収納部に収納設置され、前
記収納部に設けたそれぞれのコンセントに前記電気炊飯器と他の電気器具が接続され、蒸
気排出ファンによって前記収納部から発生する蒸気を前記収納部に開口した蒸気吸い込み
口から吸い込んで蒸気排出口から前記収納部外へ排出するように構成され、所定の遮断定
格電流を有する電力ブレーカに接続された蒸気排出装置において、前記それぞれのコンセ
ントを流れる電流の総合電流に基づき動作する制御部と、前記他の電気器具が接続された
コンセントへの通電を遮断する電流遮断器（リレー）を備え、前記制御部は前記遮断定格
電流値よりも若干低い第１設定値と前記遮断定格電流より若干高い第２設定値を有し、前
記制御部の動作にて、前記電流遮断器（リレー）は前記総合電流が前記第１設定値以上に
上昇したとき遮断動作し、前記総合電流が前記第２設定値以上に上昇したとき異常報知状
態となることを特徴とする。
【００１５】
第２発明の蒸気排出装置は、電気式炊飯器と他の電気器具が収納部に収納設置され、前
記収納部に設けたそれぞれのコンセントに前記電気炊飯器と他の電気器具が接続され、蒸
気排出ファンによって前記収納部から発生する蒸気を前記収納部に開口した蒸気吸い込み
口から吸い込んで蒸気排出口から前記収納部外へ排出するように構成され、所定の遮断定
格電流を有する電力ブレーカに接続された蒸気排出装置において、前記それぞれのコンセ
ントを流れる電流の総合電流に基づき動作する制御部と、この制御部の動作によって前記
他の電気器具が接続されたコンセントへの通電を遮断する電流遮断器（リレー）を備え、
前記制御部は前記電力ブレーカの遮断定格電流よりも若干低い第１設定値と前記電力ブレ
ーカの遮断定格電流よりも若干高い第２設定値を備え、前記総合電流が前記第１設定値未
満の状態では前記電流遮断器（リレー）は遮断動作せず、前記第１設定値以上前記第２設
定値未満の状態（これを第１状態と称す）を前記電流検知器が検知し前記第１状態が第１
所定時間継続したとき前記電流遮断器（リレー）は遮断動作し、更に前記第１状態が継続
中に前記第２設定値以上の状態（これを第２状態と称す）を前記電流検知器が検知し前記
第２状態が所定時間継続したとき前記制御部は異常報知信号を発することを特徴とする。
【００１６】
第３発明の蒸気排出装置は、電気式炊飯器と他の電気器具が収納部に収納設置され、前
記収納部に設けたそれぞれのコンセントに前記電気炊飯器と他の電気器具が接続され、蒸
気排出ファンによって前記収納部から発生する蒸気を前記収納部に開口した蒸気吸い込み
口から吸い込んで蒸気排出口から前記収納部外へ排出するように構成され、所定の遮断定
格電流を有する電力ブレーカに接続された蒸気排出装置において、前記それぞれのコンセ
ントを流れる電流の総合電流を検出する電流検知器と、この電流検知器の検知に基づき動
作する制御部と、この制御部の動作によって前記他の電気器具が接続されたコンセントへ
の通電を遮断する電流遮断器（リレー）と、前記制御部の動作によって異常報知をする異
常報知部を備え、前記制御部は前記電力ブレーカの遮断定格電流よりも若干低い第１設定
値と前記電力ブレーカの遮断定格電流よりも若干高い第２設定値を備え、前記総合電流が
上昇して前記第２設定値未満であるが前記第１設定値以上の状態（これを第１状態と称す
）を前記電流検知器が検知し、前記第１状態が第１所定時間継続したとき前記制御部は前
記電流遮断器（リレー）を遮断動作させ、更に前記第１状態が継続中に前記総合電流が上
昇して前記第２設定値以上の状態（これを第２状態と称す）を前記電流検知器が検知し、
前記第２状態が所定時間継続したとき前記制御部は前記異常報知部に異常報知信号を発す
ることを特徴とする。
【００１７】
第４発明の蒸気排出装置は、第１発明乃至第３発明において、前記電力ブレーカの遮断
定格電流を１５アンペア、前記第１設定値を１４アンペアから１５アンペアの間の値、前
記第２設定値を１５アンペアから１６アンペアの間の値とし、前記第１所定時間及び前記
第２所定時間を１秒乃至から１０秒乃としたことを特徴とする。
【発明の効果】
【００１８】
本発明によって、このような動作許容範囲を持つ電力ブレーカの遮断特性を有効に活用
すると共に、上記のように、湯沸かし器（電気ポット）が接続されていないにも拘らず、
第１設定値（実施例の１４．５アンペア）を若干超える状態になっても、コンセントも子
ブレーカも安全を維持できる範囲であれば、その状態を継続する。そして、湯沸かし器（
電気ポット）が接続されたときは、それによって上昇した電流を検出し、この状態が所定
時間継続したとき、制御部によって、異常状態であることを報知する異常報知信号を発し
、異常報知を表示部に表示、ＬＥＤ等の異常報知ランプの点灯、またはブザー作動等にて
行ない、電源遮断を促すことができる。
【００１９】
このように、湯沸かし器（電気ポット）が接続されていないときは、異常報知を発する
ことなく、炊飯器と湯沸かし器（電気ポット）が接続されたときに異常報知を発するよう
にし、炊飯器が炊き上げ途中で中断されるようなことがないようにできるものとなる。
【発明を実施するための最良の形態】
【００２０】
本発明の蒸気排出装置は、電気式炊飯器と他の電気器具が収納部に収納設置され、前記
収納部に設けたそれぞれのコンセントに前記電気炊飯器と他の電気器具が接続され、蒸気
排出ファンによって前記収納部から発生する蒸気を前記収納部に開口した蒸気吸い込み口
から吸い込んで蒸気排出口から前記収納部外へ排出するように構成され、所定の遮断定格
電流を有する電力ブレーカに接続された蒸気排出装置において、前記それぞれのコンセン
トを流れる電流の総合電流に基づき動作する制御部と、前記他の電気器具が接続されたコ
ンセントへの通電を遮断する電流遮断器（リレー）を備え、前記制御部は前記遮断定格電
流値よりも若干低い第１設定値と前記遮断定格電流より若干高い第２設定値を有し、前記
制御部の動作にて、前記電流遮断器（リレー）は前記総合電流が前記第１設定値以上に上
昇したとき遮断動作し、前記総合電流が前記第２設定値以上に上昇したとき異常報知状態
となるものであり、本発明の実施例を以下に記載する。
【実施例１】
【００２１】
本発明の実施形態について説明する。図１は本発明に係る蒸気排出装置の正面斜視図、
図２は本発明に係る蒸気排出装置の制御回路図、図３は本発明に係る制御動作説明図であ
る。
【００２２】
図１において、１は本発明の蒸気排出装置を示しており、蒸気排出装置１の機体２は、
炊飯器、湯沸かし器等の蒸気発生器具が左右に収納設置される前面開口の収納部（収納室
）３を備え、収納部（収納室）３の上部に位置するように、機体２の上部に蒸気排出ユニ
ットＪＵが取り付けられている。蒸気排出ユニットＪＵは、収納部（収納室）３の天井部
を形成するように機体２に取り付けらており、その前面に化粧パネル４が設けられている
。蒸気排出ユニットＪＵは、上面等の外壁を形成する外殻板５１と収納部（収納室）３の
天井面を形成する天井板５との間に、各種ダクト及び蒸気排出ファン９を備えた蒸気排出
通路８を形成し、収納部（収納室）３内の蒸気を収納部（収納室）３の天井面に形成した
蒸気吸い込み口６から吸い込み、この蒸気排出通路８を通して化粧パネル４に形成した蒸
気排出口７から収納部（収納室）３外へ排出する構成である。また収納部（収納室）３内
の壁（図では背壁面）には、電気式炊飯器や湯沸かし器（電気ポット）等の蒸気発生を伴
う器具１１の電源用として電源コンセント１０が取り付けられている。実施例では、使用
電力が異なる二種類の蒸気発生器具として、湯沸かし器（電気ポット）１１Ａと湯沸かし
器１１Ａに比して使用電力が大きい炊飯器１１Ｂを示しており、そのため、電源コンセン
ト１０は、左右に第１電源コンセント（差し込み口）１０Ａと、第２電源コンセント（差
し込み口）１０Ｂを有する二口用の電源コンセント１０を採用している。
【００２３】
化粧パネル４内にはマイクロコンピュータ式の制御部１２が収納され、化粧パネル４の
前面には操作パネル１３があり、操作パネル１３には、蒸気排出装置１の電源の入／切（
ＯＮ／ＯＦＦ）スイッチ部１４と、動作モード選択スイッチ部１５と、自動標準モードの
表示部１６と、自動長時間モードの表示部１７と、手動モードの表示部１８と、優先動作
モードの表示部１９と、これらの下方に動作状態を表示する横長のインジケータ２０が設
けられている。各表示部１６、１７、１８、１９はそれぞれ１個のＬＥＤの点灯で表示さ
れる構成であり、インジケータ２０は、複数のＬＥＤが直線状に横一列に配置された構成
である。これらのスイッチ部１４、１５、及び各表示部１６、１７、１８、１９、及びイ
ンジケータ２０は、それぞれ制御部１２に電気的に接続され、蒸気排出ファン９も制御部
１２に電気的に接続されている。
【００２４】
２１は電力会社から家屋へ供給される家屋用電源であり、家屋内の総合電流によって遮
断動作をするブレーカ２２Ａ（親ブレーカと称することとする）が接続されている。この
親ブレーカ２２Ａから分岐して、家屋内の各コンセント２５Ｃへ接続した回路ごとに遮断
動作をする複数のブレーカ２２Ｂ（子ブレーカと称することとする）が設けられている。
親ブレーカ２２Ａと子ブレーカ２２Ｂは、家屋内に設けた配電盤２６に配置されている。
蒸気排出装置１の電源プラグ２５Ｂを蒸気排出装置１用として家屋内に設けたコンセント
２５Ｃに差し込むことにより、蒸気排出装置１への電源供給が得られる。
【００２５】
一般家庭用に使用されるコンセントは、定格電流が１５アンペアであり、各コンセント
２５Ｃの定格電流は、規定の１５アンペアである。親ブレーカ２２Ａの遮断定格電流は、
２０アンペア、３０アンペア、５０アンペア等いろいろな値があるが、実施例では２０ア
ンペアとする。また、子ブレーカ２２Ｂの遮断定格電流は、１５アンペア、２０アンペア
等いろいろな値があるが、実施例では１５アンペアとする。最近の子ブレーカ２２Ｂの遮
断定格電流は、２０アンペアが一般的であるが、旧タイプの子ブレーカ２２Ｂの中には、
遮断定格電流が１５アンペアのものがある。
【００２６】
本発明は、上記の「発明が解決しようとする課題」に記載したように、最大電流が１４
．５アンペアに近い大きな電流が流れる炊飯器を使用した場合の問題を解決するための技
術を提供するものである。このため、子ブレーカ２２Ｂの遮断定格電流は１５アンペアと
し、親ブレーカ２２Ａの遮断定格電流は、これよりも大きければよく、３０アンペアでも
５０アンペアでもよいが、実施例では２０アンペアとする。
【００２７】
前記の図７にても示すように、親ブレーカ２２Ａも子ブレーカ２２Ｂも、遮断定格電流
になっても直ちに遮断動作することはなく、動作許容範囲を持っている。例えば、遮断定
格電流１５アンペアの子ブレーカ２２Ｂは、１５アンペアの１２０％の電流（１８アンペ
ア）が１時間流れても遮断動作しないようになっている。また、一般家庭用に使用される
コンセント２５Ｃは、１５アンペアの定格電流を若干超えた電流が流れても、耐えられる
ようになっている。
【００２８】
図２に示す蒸気排出装置１の制御回路図において、第１電源コンセント（差し込み口）
１０Ａと、第２電源コンセント（差し込み口）１０Ｂは、電源プラグ２５Ｂから供給され
る電源に対して並列接続されている。第１電源コンセント（差し込み口）１０Ａは、湯沸
かし器（電気ポット）１１Ａ用であり、また、第２電源コンセント（差し込み口）１０Ｂ
は炊飯器１１Ｂ用である。２３は第１電源コンセント１０Ａの通電回路に接続された接点
２３Ａ２を開閉する電流遮断器（リレー）であり、制御部１２によってコイル２３Ａ１の
通電が制御され、それによって接点２３Ａ２を開閉する。２４は第１電源コンセント１０
Ａと第２電源コンセント（差し込み口）１０Ｂの総合電流を検出する電流検知器である。
この電流検知器２４は、前記総合電流が１次側コイル２４Ａを流れ、この電流によって２
次側コイル２４Ｂに生じる電流または電圧が制御部１２に入力されて、制御部１２が動作
する。
【００２９】
このような構成において、電源プラグ２５Ｂを家屋内のコンセント２５Ｃに差し込んだ
状態で、蒸気排出装置１に電源が供給された状態となり、電源コンセント１０へ電力が供
給された状態である。この状態で、第１電源コンセント１０Ａへ湯沸かし器（電気ポット
）１１Ａの電源プラグを差し込み、それに備えられたスタートスイッチがあればそれがＯ
Ｎされた状態において、電源の入／切（ＯＮ／ＯＦＦ）スイッチ部１４を押す操作によっ
てそのスイッチがＯＮし、その信号が制御部１２へ入力され、自動標準モードの表示部１
６のＬＥＤが点灯する。この状態で、湯沸かし器（電気ポット）１１Ａへ通電され、電流
検知器２４の検知に基づき、制御部１２の動作によって蒸気排出ファン９が高速運転状態
となる。この場合、湯沸かし器１１Ａの沸き上げ中の電流は電流検知器２４で検知され、
電流検知器２４が検知する値と制御部１２の設定値（実施例では１４．５アンペア）が比
較されるが、電流検知器２４が検知する値が制御部１２の設定値（実施例では１４．５ア
ンペア）よりも低いため、電流遮断器（リレー）２３は動作せず、湯沸かし器１１Ａの沸
き上げ終了まで、制御部１２の動作によって湯沸かし器（電気ポット）１１Ａへの通電状
態が継続し、そのとき発生する多くの蒸気を蒸気排出ファン９によって良好に排出する。
そして、沸き上げ終了後は保温状態となる。
【００３０】
また、上記のように、電源プラグ２５Ｂを家屋内のコンセント２５Ｃに差し込み、蒸気
排出装置１に電源が供給された状態で、第２電源コンセント（差し込み口）１０Ｂのみへ
炊飯器１１Ｂの電源プラグを差し込み、それに備えられたスタートスイッチがあればそれ
がＯＮされた状態において、電源の入／切（ＯＮ／ＯＦＦ）スイッチ部１４を押す操作に
よってそのスイッチがＯＮし、その信号が制御部１２へ入力され、自動標準モードの表示
部１６のＬＥＤが点灯する。この状態で炊飯器１１Ｂへ通電され、電流検知器２４の検知
に基づき、制御部１２の動作によって蒸気排出ファン９が高速運転状態となる。この場合
、炊飯器１１Ｂの沸き上げ中の電流は電流検知器２４で検知され、電流検知器２４が検知
する値と制御部１２の設定値（実施例では１４．５アンペア）が比較されるが、電流検知
器２４が検知する値が制御部１２の設定値（実施例では１４．５アンペア）よりも低いた
め、電流遮断器（リレー）２３は動作せず、炊飯器１１Ｂの炊き上げ終了まで、制御部１
２の動作によって炊飯器１１Ｂへの通電状態が継続し、そのとき発生する多くの蒸気を蒸
気排出ファン９によって良好に排出する。そして、炊き上げ終了後は保温状態となる。
【００３１】
通常状態であれば、このように炊飯器１１Ｂの炊き上げが行なわれる。しかし、炊飯器
１１Ｂが、その最大電流が、制御部１２の設定値（実施例では１４．５アンペア）に近い
大きな電流が流れる出力の大きなものである等の場合は、上記の「発明が解決しようとす
る課題」に記載したように、第１電源コンセント１０Ａへ湯沸かし器（電気ポット）１１
Ａが接続されていないにも係わらず、制御部１２の設定値（実施例では１４．５アンペア
）を若干超える状態になれば、異常報知状態となり、炊飯途中で終わるようになる懸念が
ある。しかし、本発明では、このような場合の異常報知は行わないようにするものである
。
【００３２】
本発明はこのような制御を行うために、図３に示すように、制御部１２は、子ブレーカ
２２Ｂの遮断定格電流１５アンペアよりも若干低い第１設定値Ｓ１（実施例では１４．５
アンペア）とこの遮断定格電流１５アンペアより若干高い第２設定値Ｓ２（実施例では１
５．８アンペア）を有し、制御部１２の動作によって、電流遮断器（リレー）２３は総合
電流が第１設定値Ｓ１（１４．５アンペア）以上に上昇したとき遮断動作し、総合電流が
第２設定値Ｓ２（１５．８アンペア）以上に上昇したとき異常報知状態（警報状態ともい
う）とする。
【００３３】
この制御を更に詳述すれば、制御部１２は、子ブレーカ２２Ｂの遮断定格電流１５アン
ペアよりも若干低い第１設定値Ｓ１（実施例では１４．５アンペア）とこの遮断定格電流
１５アンペアより若干高い第２設定値Ｓ２（実施例では１５．８アンペア）を有し、何ら
かの要因によって前記総合電流が上昇し、このときの総合電流を電流検知器２４が検知す
る。この場合の総合電流が、第２設定値Ｓ２（１５．８アンペア）未満であるが第１設定
値Ｓ１（１４．５アンペア）以上の状態（これを第１状態と称す）を第１所定時間Ｔ１（
実施例では６〜７秒）継続したときは、制御部１２は電流遮断器（リレー）２３を遮断動
作させる信号状態となり、通常状態であれば電流遮断器（リレー）２３が第１電源コンセ
ント１０Ａへの通電を遮断することとなる。
【００３４】
しかし、この場合、制御部１２は電流遮断器２３を作動させる信号状態であるが、制御
部１２から電流遮断器２３への信号ラインの故障や、電流遮断器２３の接点２３Ａ２の溶
着等の原因によって、電流遮断器２３の接点２３Ａ２が開かない事態が生じておれば、第
１電源コンセント１０Ａへの通電は遮断しない。このため、第１所定時間Ｔ１（実施例で
は６〜７秒）に引き続いて第１状態が継続する。この第１状態の継続が第２所定時間Ｔ２
（実施例では５秒）継続しても、制御部１２は異常報知信号を発しない。
【００３５】
この場合の総合電流は、子ブレーカ２２Ｂの遮断定格電流１５アンペアよりも若干高い
第２設定値Ｓ２（実施例では１５．８アンペア）未満である。子ブレーカ２２Ｂは、上記
のように、遮断定格電流を超えても直ちに遮断しない許容値を持つ特性を有しており、こ
の総合電流が流れても、子ブレーカ２２Ｂは遮断動作しないか、遮断動作するまでにはか
なり長い時間（例えば１時間を超える時間）かかる。この時間が１時間程度であれば、殆
どの炊飯器１１Ｂの炊き上げがこの時間内に終了する。
【００３６】
上記のように、第１電源コンセント１０Ａへの通電は遮断しないため、第２所定時間Ｔ
２（実施例では５秒）が経過したある時点ｔｐで、第１電源コンセント１０Ａへ湯沸かし
器（電気ポット）１１Ａの電源プラグを差し込めば、または、それに備えられたスタート
スイッチがあればそれをＯＮした状態において、湯沸かし器（電気ポット）１１Ａへ電流
が流れ、湯沸し動作が開始すれば、図３に示すように総合電流が第２設定値Ｓ２（実施例
では１５．８アンペア）以上となる。このときの総合電流が電流検知器２４で検知され、
制御部１２は第３所定時間Ｔ３（実施例では５秒）継続したとき、異常報知信号を発し、
それによって、異常報知が表示部１６〜２０のいずれかのＬＥＤの異常点灯表示、または
インジケータ２０による異常表示、またはブザー２７の作動等にて行なわれる。
【００３７】
この異常報知によって、家庭の人は異常であることに気付き、コンセント２５Ｃから電
源プラグ２５Ｂを抜くか、蒸気排出装置１に電源スイッチがあればそれをＯＦＦさせるか
、炊飯器・湯沸かし器（電気ポット）のコンセントを抜くか、または手動でブレーカ２２
Ａまたは２２Ｂを遮断することにより、蒸気排出装置１を安全に保つことができる。もし
この異常報知状態を放置したときは、時間が経過したある時点で、子ブレーカ２２Ｂは、
その動作特性に応じて時刻ｔｅで自動的に遮断動作する。
【００３８】
上記の動作において、第２所定時間Ｔ２（実施例では５秒）は、特に判定に寄与しない
ので、この第２所定時間Ｔ２（実施例では５秒）は、本発明の要旨ではない。
【００３９】
なお、子ブレーカ２２Ｂの遮断定格電流を１５アンペア、第１設定値Ｓ１を１４アンペ
アから１５アンペアの間の値、第２設定値Ｓ２を１５アンペアから１６アンペアの間の値
とし、第１所定時間Ｔ１、第２所定時間Ｔ２、第３所定時間Ｔ３を１秒乃至１０秒とする
ことにより、安定した上記のような動作を得ることができる。
【００４０】
上記では、第１電源コンセント１０Ａを沸かし器（電気ポット）１１Ａ用とし、第２電
源コンセント１０Ｂを炊飯器１１Ｂ用とし、電流遮断器（リレー）２３を第１電源コンセ
ント１０Ａの通電遮断用としたが、これに限らない。例えば、沸かし器（電気ポット）１
１Ａと炊飯器１１Ｂが、第１電源コンセント１０Ａと第２電源コンセント１０Ｂのいずれ
に接続してもよいものとし、その場合、第１電源コンセント１０Ａと第２電源コンセント
１０Ｂにそれぞれ電流検知器と電流遮断器（リレー）の直列回路をを接続する。制御部１
２は、両電流検知器で検知した値に基づき、大きい電流値の方を炊飯器１１Ｂと判定し、
第２設定値Ｓ２以上のとき沸かし器（電気ポット）１１Ａが接続されたコンセントの電流
遮断器（リレー）を遮断動作させる。このような方式にも、本発明は適用できる。
【産業上の利用可能性】
【００４１】
本発明は、上記実施例に示した構成に限定されず、種々の形態の蒸気排出装置に適用で
きるものであり、本発明の技術範囲において種々の形態を包含するものである。
【図面の簡単な説明】
【００４２】
【図１】本発明に係る蒸気排出装置の正面斜視図である。
【図２】本発明に係る蒸気排出装置の制御回路図である。
【図３】本発明に係る制御動作説明図である。
【図４】蒸気排出装置における湯沸かし器（電気ポット）側コンセントの遮断回路正常時の動作説明図である。
【図５】蒸気排出装置における湯沸かし器（電気ポット）側コンセントの遮断回路異常時の動作説明図である。
【図６】蒸気排出装置において炊飯器のみの接続状態で生じる異常時の動作説明図である。
【図７】遮断定格電流が２０アンペアのブレーカの遮断動作特性図である。
【符号の説明】
【００４３】
１・・・・・蒸気排出装置
２・・・・・蒸気排出装置の機体
３・・・・・収納部（収納室）
４・・・・・化粧パネル
５・・・・・壁（図では天井壁面）
６・・・・・蒸気吸い込み口
７・・・・・蒸気排出口
８・・・・・排気通路
９・・・・・蒸気排出ファン
１０・・・・電源コンセント
１０Ａ・・・第１電源コンセント（差し込み口）
１０Ｂ・・・第２電源コンセント（差し込み口）
１１Ａ・・・湯沸かし器
１１Ｂ・・・炊飯器
１２・・・・制御部
１３・・・・操作パネル
１４・・・・電源の入／切（ＯＮ／ＯＦＦ）スイッチ部
１６〜２０・・・表示部
２１・・・・家屋用電源
２２Ａ・・・親ブレーカ
２２Ｂ・・・子ブレーカ
２３・・・・電流遮断器（リレー）
２４・・・・電流検知器
２５Ｂ・・・電源プラグ
２５Ｃ・・・コンセント
２７・・・・ブザー
【図１】
2010025505.tif 000003
【図２】
2010025505.tif 000004
【図３】
2010025505.tif 000005
【図４】
2010025505.tif 000006
【図５】
2010025505.tif 000007
【図６】
2010025505.tif 000008
【図７】
2010025505.tif 000009